(57)【特許請求の範囲】
【請求項１】
防弾材で構成された筒状で、人体の首周りを保護する首プロテクタと、
防弾材で構成されたシート状で、前記首プロテクタが挿入される装着孔が形成され、人体の首下周りを保護する首下プロテクタと、を備え、
前記装着孔に挿入された状態の前記首プロテクタと前記首下プロテクタとを覆う防弾用プレートが設けられている、
ことを特徴とする防弾具。
【請求項２】
前記防弾用プレートは、前記首プロテクタの外面に沿って人体の首周り方向に延びる立ち襟部と、前記首下プロテクタの外面に沿って人体の首下周り方向に延びる鍔部とを有しており、前記立ち襟部と前記鍔部は一体成形されている、
ことを特徴とする請求項１に記載の防弾具。
【請求項３】
前記防弾用プレートは、人体の前面側に位置するように設けられている、
ことを特徴とする請求項１または２のいずれか１項に記載の防弾具。
【請求項４】
防弾材で構成された筒状で、人体の首周りを保護する首プロテクタと、
防弾材で構成され、前記首プロテクタが挿入される装着孔が形成され、人体の首より下側を保護する胴部プロテクタと、を備え、
前記装着孔に挿入された状態の前記首プロテクタと前記胴部プロテクタとを覆う防弾用プレートが設けられている、
ことを特徴とする防弾服。
【発明の詳細な説明】
【技術分野】
【０００１】
この発明は、銃弾や刃物などから人体を保護する防弾具および防弾服に関し、特に、人体の首を保護する防弾具および防弾服に関する。
【背景技術】
【０００２】
銃弾や刃物などから人体を保護する防弾チョッキ（防弾服）には、高い防弾性能、防刃性能を備え、しかも軽量で着用感に優れたものが知られている（例えば、特許文献１参照。）。この防弾チョッキは、特殊な防弾材で構成されたカバーシートの中央部に、人体の首を挿入する孔が形成され、この孔に首を通して、カバーシートの前面部と背面部とを面ファスナなどで接続（固定）することで、人体に装着されるものである。そして、このようにして装着した状態では、カバーシートの孔から首が突き出、カバーシートの前面部で人体胴部の前面を保護するものである。
【特許文献１】特開２０００−２４１０９７号公報
【発明の開示】
【発明が解決しようとする課題】
【０００３】
ところで、銃弾はどこから飛来し、人体のどこに当たるかわからず、人体の首に当たる場合もある。これに対し、上記特許文献１に記載されたような防弾チョッキでは、カバーシートの孔から首が突き出、カバーシートから首が露出した状態となるため、人体の首を銃弾などから保護することができない。
【０００４】
そこでこの発明は、人体の首を銃弾などから的確に保護することができる防弾具および防弾服を提供することを目的とする。
【課題を解決するための手段】
【０００５】
ここで、人体の首を銃弾などから保護するには、防弾材で人体の首周りを覆うことが最も簡単で効果的と考えられるが、本発明者は、調査、研究の結果、防弾材で首周りを単に覆うだけでは、首を的確に保護することができないことを解明した。すなわち、図８に示すように、首周りを防弾材１００で筒状に覆った状態で、銃弾Ｍが防弾材１００の端部（筒の上下端部）に当たると、銃弾Ｍは防弾材１００で止まらず、その軌道を変えて（曲がって）人体に向かうようになる。これは、強度が弱い方に銃弾Ｍが向かうためであり、銃弾Ｍが防弾材１００の端部に当たった場合には、人体を的確に保護することができない。この結果、首（人体）を的確に保護するには、銃弾Ｍが防弾材１００の端部に当たらないようにすることが必要である、という結論に至った。
【０００６】
また、本発明者の調査、研究の結果、図９に示すような構成とした場合にも、首（人体）を的確に保護することができないことが判明した。すなわち、繊維製の防弾材で構成され、筒状で人体の首周りを保護する首プロテクタ１０１と、人体の首下周りを保護する首下プロテクタ１０２とを備え、首プロテクタ１０１と首下プロテクタ１０２のそれぞれを袋状のカバー１０１Ａ、１０２Ａで覆う。そして、首プロテクタ１０１の下端と首下プロテクタ１０２の内端（内側の端）とを当接した状態で、首プロテクタ１０１のカバー１０１Ａと首下プロテクタ１０２のカバー１０２Ａとを接続する。このような構成では、首プロテクタ１０１の下端から２ｃｍほどの領域および、首下プロテクタ１０２の内端から２ｃｍほどの領域では、銃弾Ｍが止まらないことが判明した。すなわち、首プロテクタ１０１の下端から約３ｃｍと、首下プロテクタ１０２の内端から約３ｃｍとの合計約６ｃｍの領域では、無防備な状態になることが判明した。このため、首（人体）を確実に保護するには、首プロテクタ１０１の下端から約３ｃｍの領域に、銃弾Ｍが当たらないようにすることが必要である、という結論に至った。
【０００７】
さらには、本発明者の調査、研究の結果、図１０に示すように、繊維製の防弾材１０３を折り曲げて、人体の首周りと首下周りを保護する構成とした場合、折り曲げ部１０３Ａにおいて銃弾Ｍが貫通する確率が非常に高いことが判明した。このように、防弾具においては、人体の首周りと首下周りとの結合部位を銃弾Ｍが貫通する確率が非常に高いので、この部位の保護を強化する必要がある。また、防弾具は、ハイスピード、硬質の銃弾Ｍに十分に対応できる防弾性能が要求される。
【０００８】
以上のことから、上記目的を達成するために請求項１に記載の発明は、防弾材で構成された筒状で、人体の首周りを保護する首プロテクタと、防弾材で構成されたシート状で、前記首プロテクタが挿入される装着孔が形成され、人体の首下周りを保護する首下プロテクタと、を備え、前記装着孔に挿入された状態の前記首プロテクタと前記首下プロテクタとを覆う防弾用プレートが設けられている、ことを特徴とする防弾具である。
【０００９】
請求項２に記載の発明は、請求項１に記載の防弾具において、前記防弾用プレートは、前記首プロテクタの外面に沿って人体の首周り方向に延びる立ち襟部と、前記首下プロテクタの外面に沿って人体の首下周り方向に延びる鍔部とを有しており、前記立ち襟部と前記鍔部は一体成形されている、ことを特徴とする。
【００１０】
請求項３に記載の発明は、請求項１または２に記載の防弾具において、前記防弾用プレートは、人体の前面側に位置するように設けられている、ことを特徴とする。
【００１１】
請求項４に記載の発明は、防弾材で構成された筒状で、人体の首周りを保護する首プロテクタと、防弾材で構成され、前記首プロテクタが挿入される装着孔が形成され、人体の首より下側を保護する胴部プロテクタと、を備え、前記装着孔に挿入された状態の前記首プロテクタと前記胴部プロテクタとを覆う防弾用プレートが設けられている、ことを特徴とする防弾服である。
【発明の効果】
【００１２】
請求項１に記載の発明によれば、首プロテクタと首下プロテクタは、防弾用プレートで覆われるため、防弾具における首プロテクタと首下プロテクタおよびこれらの結合部位の防弾性能を高めることができる。これにより、ハイスピードや硬質の銃弾であっても、銃弾が防弾具を貫通することはなく、人体の首を銃弾などから的確に保護することができる。
【００１３】
請求項２に記載の発明によれば、防弾用プレートの立ち襟部と鍔部は一体成形されているので、襟部と鍔部には防弾性能の低下する結合部は存在せず、人体の首を銃弾などから的確に保護することができる。
【００１４】
請求項３に記載の発明によれば、防弾用プレートは銃弾が飛んでくる確率の高い人体の前面側に位置するように設けられているので、人体の前面側から飛んでくる銃弾に対する防弾性能を高めることができる。
【００１５】
請求項４に記載の発明によれば、首プロテクタと胴部プロテクタとは、防弾用プレートで覆われるため、請求項１に記載の発明と同様に、ハイスピードや硬質の銃弾から人体の首を的確に保護することができる。
【発明を実施するための最良の形態】
【００１６】
以下、この発明を図示の実施の形態に基づいて説明する。
【００１７】
(実施の形態１)
図１ないし図６は、この実施の形態に係る防弾具１を示している。この防弾具１は、銃弾や刃物などから人体の首を保護する防具であり、主として、首プロテクタ２と、首下プロテクタ３と、カバー４と、防弾プレート７を備えている。
【００１８】
首プロテクタ２は、図２、３に示すように、防弾材で構成された筒状で、人体の首周りを保護する保護部材である。具体的には、例えば、軽量で高強度、高耐磨耗性、高衝撃吸収性を有する繊維（アラミド繊維やポリエチレン繊維などの高強度繊維）で構成された薄いシート状の防弾材を複数積層し、この積層シートが円筒状に形成され、円筒内に人体の頭部が出し入れできる大きさとされている。また、図４（ｂ）に示すように積層シートの両端部がテーパ状に形成され、両端部（両テーパ部）を重ねるようにして接合されている。さらに、首プロテクタ２の下端は水平に形成され、上端は、人体の前面側が高く人体の背面側が低くなるように勾配が形成され、上端部は、図２に示すように、その勾配に沿って縫い止め（結束）されている。
【００１９】
このような首プロテクタ２の外周面の下端部には、図５に示すように、首プロテクタ２の外周面の全周に延びる帯状のストッパ５が設けられている。このストッパ５は、後述するようにして首下プロテクタ３の位置を保持できるものであれば、どのような材質で構成されていてもよいが、この実施の形態では、表面層として、防弾材が配設されている。
【００２０】
このストッパ５の下端は、首プロテクタ２の下端と同一面上（面一）に配設され、ストッパ５の高さＨ、つまり、首プロテクタ２の下端からストッパ５の上端までの高さＨは、次のように設定されている。すなわち、本発明者は調査、研究の結果、銃弾Ｍが首プロテクタ２の下端部に当たると、銃弾Ｍは首プロテクタ２で止まらず、その軌道を変えて人体（胴体）に向かう。このため、首（人体）を的確に保護するには、銃弾Ｍが首プロテクタ２の下端部に当たらないようにすることが必要である、という結論を得るに至った。この結論から、後述するようにして、首下プロテクタ３を首プロテクタ２の下端から所定距離以上に位置させて、銃弾Ｍが首プロテクタ２の下端部に当たらないようにするために、ストッパ５を設けたものである。
【００２１】
そして、このような目的から、ストッパ５の高さＨは、銃弾Ｍが当たっても首プロテクタ２で銃弾Ｍが止まる高さ以上である必要がある。つまり、銃弾Ｍが止まらない領域を図５に示すように非防弾域部（下端部）２Ａとした場合に、ストッパ５の高さＨは、非防弾域部２Ａの高さ以上である必要があり、首プロテクタ２の材質や厚み（防弾強度）や剛性などに基づいて設定される。ここで、首プロテクタ２や首下プロテクタ３の防弾強度などによっては、後述するようにして首下プロテクタ３が配設された状態で、首下プロテクタ３の上面の高さが非防弾域部２Ａの高さ以上になるように、ストッパ５の高さＨを設定してもよい。
【００２２】
また、ストッパ５は、１箇所または数箇所において首プロテクタ２に縫い付け（縫い止め）られ、この実施の形態では、２箇所で縫い付けられ、その縫い目５ａは、ストッパ５の上端部および下端部の全周に沿って設けられている。ここで、このようなストッパ５が設けられている首プロテクタ２の非防弾域部２Ａより上側、つまり銃弾Ｍが曲がらずに止まる領域を防弾有効部２Ｂとする。
【００２３】
首下プロテクタ３は、図２および図４に示すように、防弾材で構成されたシート状で、首プロテクタ２が挿入される装着孔３ａが形成され、人体の首下周りを保護する保護部材である。具体的には、例えば、軽量で高強度、高耐磨耗性、高衝撃吸収性を有する繊維（アラミド繊維やポリエチレン繊維などの高強度繊維）で構成された薄いシート状の防弾材を複数積層し、この積層シートの中央部に、首プロテクタ２の外径よりやや大きい円形の装着孔３ａが形成されている。また、この首下プロテクタ３は、人体の前面側に位置する前面プロテクタ３１と、人体の背面側に位置する背面プロテクタ３２とから構成され、前面プロテクタ３１と背面プロテクタ３２とが人体の両肩の稜線に沿って接合されている。言い換えると、接合ラインが人体の両肩の稜線に沿うように、前面プロテクタ３１と背面プロテクタ３２とが接合されている。このため、前面プロテクタ３１および背面プロテクタ３２の各防弾材（積層された各シート）が、接合ラインを基点にして容易に曲がるようになっている。
【００２４】
そして、首プロテクタ２が装着孔３ａに挿入され、首下プロテクタ３（装着孔３ａの周縁部）が首プロテクタ２の下端から所定距離以上に位置するように配設されている。すなわち、首プロテクタ２を装着孔３ａに挿入していき、ストッパ５が首下プロテクタ３に当たった時点で、首下プロテクタ３が首プロテクタ２の非防弾域部２Ａより上に位置するように配設されている。
【００２５】
首下プロテクタ３の装着孔に首プロテクタ２が挿入された状態では、図４（ａ）に示すように、防弾用プレート７が装着される。これにより、首プロテクタ２と首下プロテクタ３は防弾用プレート７によって覆われ、かつ首プロテクタ２と首下プロテクタ３との結合部位Ｋも防弾用プレート７により覆われる。ここで、結合部位Ｋとは、首プロテクタ２と首下プロテクタ３が合わさる境目を意味する。防弾用プレート７を採用するのは、ハイスピードと硬質の銃弾Ｍに対応するためであり、銃弾Ｍに対する防弾具１の防弾性能をさらに高めるためである。防弾用プレート７は、首プロテクタ２の外面に沿って人体の首周り方向に延びる立ち襟部７ａと、首下プロテクタ３の外面に沿って人体の首下周り方向に延びる鍔部７ｂとを有している。立ち襟部７ａと鍔部７ｂは、例えばプレス成形により一体成形されている。防弾用プレート７は、銃弾Ｍに対する十分な防弾強度を有する防弾部材を複数積層し、これを圧着もしくは接着することにより形成される。防弾用プレート７の防弾部材は、例えば、衝撃吸収性に優れた超高強力ポリエチレン繊維、高強度の軽量合金（高強度アルミニウム合金など）、セラミック、その他あらゆる石油系の部材などから構成されている。
【００２６】
図４に示すように、防弾用プレート７は人体Ｇの前面側に位置するように設けられている。防弾用プレート７は、首プロテクタ２が装着孔３ａに挿入された状態では、立ち襟部７ａの上端が首プロテクタ２の上端と一致するようになっている。立ち襟部７ａは、首プロテクタ２と同様にほぼ垂直に形成されており、図３に示すように、人体Ｇの最前面に位置する部位が最も高く、その高さはＨ２に設定されている。鍔部７ｂは、首周り方向に同じ幅Ｗをもって延びている。鍔部７ｂは、立ち襟部７ａに対して角度α２を有しており、外方に行くにつれて下りとなる傾斜部に形成されている。
【００２７】
この実施の形態においては、立ち襟部７ａの高さＨ２は７０ｍｍに設定されており、鍔部７ｂの立ち襟部７ａに対する角度α２は、例えば１３５°に設定されている。また、鍔部７ｂの首周り方向の幅Ｗは、５０〜６０ｍｍに設定されている。防弾用プレート７の厚みＴは、銃弾Ｍのスピードと硬度を考慮して設定されており、この実施の形態では例えば１０ｍｍ程度に設定されている。防弾用プレート７において、立ち襟部７ａの上端部側は危険ゾーンＳ１となっており、立ち襟部７ａと鍔部７ｂとのコーナー部も危険ゾーンＳ２となっている。従来では、危険ゾーンＳ１および危険ゾーンＳ２は、銃弾Ｍが貫通する確率が非常に高い領域であるが、防弾用プレート７はこれらの危険ゾーンＳ１、Ｓ２においてハイスピードまたは硬質の銃弾Ｍを確実に止める機能を有している。
【００２８】
図４（ｂ）に示すように、防弾用プレート７の両端部は、装着孔３ａの中心Ｏを通る軸線を越えて人体Ｇの後方側に延びており、装着孔３ａの中心Ｏとする防弾用プレート７の両端部のなす角度α１は１８０°以上に設定されている。すなわち、立ち襟部７ａは、人体Ｇの耳Ｇ１の位置を多少越える程度まで後方に延びている。図３に示すように、立ち襟部７ａの内側長さＬは、後端側において首プロテクタ２の外径よりも若干小さく設定されている。立ち襟部７ａの内側長さＬは、立ち襟部７ａの両端部を押し広げることにより、首プロテクタ２の外面の直径よりも大きくすることができる。立ち襟部７ａの内側長さＬを拡大可能としたのは、首下プロテクタ３の装着孔へ首プロテクタ２を挿入した後、首プロテクタ２に防弾用プレート７を自己弾性により装着する必要があるからである。このように、装着される防弾用プレート７は、自己弾性によって立ち襟部７ａが首プロテクタ２に密着し、また鍔部７ｂは外方に下りとなる傾斜部に形成されることにより、首下プロテクタ３に密着可能となっている。
【００２９】
カバー４は、このようにして組み付けられた首プロテクタ２と首下プロテクタ３と防弾用プレート７とを、その内・外形状に沿って覆うカバーである。このカバー４は、数箇所において首プロテクタ２および首下プロテクタ３に接合、固定されている。特に、首プロテクタ２が首下プロテクタ３を貫通する近傍の貫通部２ａおよび被貫通部３ｂ（図４（ａ）参照）において、カバー４が固定され、これにより、首下プロテクタ３が上方に位置ずれ（移動）しないようになっている。
【００３０】
このようなカバー４が配設された状態で、図６に示すように、首プロテクタ２が既存の防弾服Ｐの首部（首挿入孔）Ｐ１に挿入できるように、首プロテクタ２の外径が設定されている。これにより、首プロテクタ２を首部Ｐ１に挿入し、この状態で立ち襟部７ａの弾性を利用して防弾用プレート７を首プロテクタ２の外面に装着することで、防弾具１を防弾服Ｐに取付けることができる。また、防弾用プレート７を首プロテクタ２から取外した後、首プロテクタ２を首部Ｐ１から抜取ることで、防弾具１を防弾服Ｐから取り外せるようになっている。つまり、防弾具１が既存の防弾服Ｐに着脱自在となっている。
【００３１】
そして、このような構成の防弾具１と既存の防弾服Ｐとを人体に装着するには、まず、人体の頭部を首プロテクタ２内に挿入して防弾具１をかぶり（装着し）、その上から、既存の防弾服Ｐを装着すればよい。ここで、既存の防弾服Ｐは、ポンチョのように被るものあってもよいし、前開きが可能なものであってもよい。
【００３２】
以上のように、この防弾具１によれば、首プロテクタ２の非防弾域部２Ａが首下プロテクタ３によってカバーされているため、首プロテクタ２の非防弾域部２Ａに銃弾Ｍが当たることがなく、首プロテクタ２の防弾有効部２Ｂにのみ銃弾Ｍが当たる。銃弾Ｍが首プロテクタ２に当たることでそのスピードが落ち、銃弾Ｍにブレーキがかかり、銃弾Ｍを止めることができる。また、首プロテクタ２と首下プロテクタ３との境目である結合部位Ｋは、高い防弾性能を有する防弾用プレート７によって覆われているので、図５に示すように、銃弾Ｍが結合部位Ｋに向かったとしても、銃弾Ｍは防弾用プレート７に当たることになり、ハイスピードや硬質の銃弾Ｍであっても、銃弾Ｍを確実に防弾用プレート７によって止めることができる。
【００３３】
防弾用プレート７は、立ち襟部７ａと鍔部７ｂが一体成形されているので、襟部７ａと鍔部７ｂには防弾性能の低下する結合部は存在せず、人体の首を銃弾などから的確に保護することができる。また、人体Ｇの前面側は、人体Ｇの後部側に比べて銃弾Ｍが飛んでくる可能性が高いので、人体Ｇの前面側に防弾用プレート７を装着することにより、防弾具１の防弾性能を高めることができる。
【００３４】
首下プロテクタ３は、前面プロテクタ３１と背面プロテクタ３２が人体の両肩の稜線に沿って接合されているので、首下プロテクタ３が剛性の高い防弾材で構成されていても、図４（ａ）に示すように、前面プロテクタ３１と背面プロテクタ３２とが人体側（重力側）に曲がって、首下周りに密着して装着され、首下周りを適性に保護することができる。ここで、防弾用プレート７の鍔部７ｂは、下方に傾斜するように形成されているので、鍔部７ｂは傾斜した前面プロテクタ３１の外面とほぼ密着することになり、人体Ｇの前面側からの銃弾Ｍを確実に受け止めることができる。さらに、既存の防弾服Ｐに着脱自在なため、既存の防弾服Ｐにこの防弾具１を取り付けることで（防弾具１と防弾服Ｐを人体に装着することで）、既存の防弾服Ｐを着ていても人体の首を銃弾Ｍなどから的確に保護することができる。
【００３５】
(実施の形態２)
図７は、この実施の形態に係る防弾服１０の内部構造、つまりカバーを外した状態を示す正面図である。ここで、実施の形態１と同等の構成については、同一符号を付することで、その説明を省略する。
【００３６】
この防弾服１０は、首プロテクタ２と胴部プロテクタ６とを備えている。胴部プロテクタ６は、防弾材で構成され、首プロテクタ２が挿入される装着孔６ａが形成され、人体の首より下側を保護する保護部材であり、人体の腹部下側周りまで延びる点で、首下プロテクタ３と構成が異なる。また、実施の形態１と同様に、首プロテクタ２を装着孔６ａに挿入した状態で、首プロテクタ２の外面に防弾用プレート７は装着される。この状態では、胴部プロテクタ６の装着孔６ａの周縁部が首プロテクタ２の下端から所定距離以上、つまり非防弾域部２Ａより上に位置するように配設されている。ここで、胴部プロテクタ６は、一体の部材で構成してもよいし、複数の部材で構成してもよい。
【００３７】
そして、このような構成の防弾服１０によれば、この防弾服１０を人体に装着することで、実施の形態１と同様に、ハイスピードや硬質の銃弾Ｍなどから人体の首を的確に保護することができるとともに、人体の首より下側をも保護することができる。
【００３８】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、首下プロテクタ３や胴部プロテクタ６が、ストッパ５によって首プロテクタ２の非防弾域部２Ａより上に位置するようにしているが、その他の手段によってもよい。また、防弾用プレート７は、自己弾性を利用して首プロテクタ２に装着するようになっているが、面ファスナーなどを用いて取外し可能な構成としてもよい。さらに、防弾用プレート７を取外す必要がない場合は、防弾用プレート７を接着剤により首プロテクタ２に固定する構成としてもよい。
【産業上の利用可能性】
【００３９】
以上のように、この発明に係る防弾具および防弾服は、人体の首を銃弾などから的確に保護することができるものとして極めて有用である。
【図面の簡単な説明】
【００４０】
【図１】この発明の実施の形態１に係る防弾具を示す正面図である。
【図２】図１の防弾具の首プロテクタと首下プロテクタの分解斜視図である。
【図３】図１の防弾具における防弾用プレートの斜視図である。
【図４】図２の首プロテクタと首下プロテクタとを組み付けた状態を示す正面図（ａ）と平面図（ｂ）である。
【図５】図４（ｂ）のＡ−Ａ線に沿う拡大断面図である。
【図６】図１の防弾具を防弾服に取り付けた状態を示す正面図である。
【図７】この発明の実施の形態２に係る防弾服の内部構造を示す正面図である。
【図８】防弾材の端部に銃弾が当たった場合の銃弾の軌道を示す図である。
【図９】首プロテクタの下端と首下プロテクタの内端とを当接させた状態を示す断面図である。
【図１０】繊維製の防弾材を折り曲げて、人体の首周りと首下周りを保護する構成とした断面図である。
【符号の説明】
【００４１】
１          防弾具
２          首プロテクタ
２Ａ        非防弾域部
２Ｂ        防弾有効部
３          首下プロテクタ
３ａ        装着孔
３１        前面プロテクタ
３２        背面プロテクタ
４          カバー
５          ストッパ
５ａ        縫い目
６          胴部プロテクタ
７          防弾用プレート
７ａ        立ち襟部
７ｂ        鍔部
１０        防弾服
Ｋ          結合部位
Ｍ          銃弾
Ｐ          防弾服
Ｐ１        首部
【要約】
【課題】  人体の首を銃弾などから的確に保護する。
【解決手段】  防弾材で構成された筒状で、人体の首周りを保護する首プロテクタ２と、防弾材で構成されたシート状で、首プロテクタ２が挿入される装着孔３ａが形成され、人体の首下周りを保護する首下プロテクタ３とを備え、装着孔３ａに挿入された状態の首プロテクタ２と首下プロテクタ３とを覆う防弾用プレート７が設けられている防弾具１とする。これにより、首プロテクタ２と首下プロテクタ３との結合部位Ｋは、防弾用プレート７で覆われるため、結合部位Ｋを銃弾Ｍが貫通することはなく、人体の首を銃弾などから的確に保護することができる。
【選択図】  図５【図１】
0004148532.tif 000002
【図２】
0004148532.tif 000003
【図３】
0004148532.tif 000004
【図４】
0004148532.tif 000005
【図５】
0004148532.tif 000006
【図６】
0004148532.tif 000007
【図７】
0004148532.tif 000008
【図８】
0004148532.tif 000009
【図９】
0004148532.tif 000010
【図１０】
0004148532.tif 000011